(57)【要約】      （修正有）【課題】輪郭線で囲まれた部分を取り除き予定窓を開ける際に、輪郭線によって形成される切断糸口端部を包材の表面から容易に立ち上げられるようにした窓付き紙容器を得る。【解決手段】板紙を基材とする包材２によって角筒状の胴部５とその上下を閉塞する底部６及び頂部７とを形成し、そのいずれかの部分の板紙基材に予定窓１２の輪郭線１３を切り込み１４により形成し、包材２の裏面には予定窓１２を塞ぐフィルム１６を輪郭線１３の外側に設け、包材２を輪郭線１３に沿って切断して取り除くことにより、窓を形成する構造とした窓付き紙容器であって、輪郭線１３で囲まれた部分の包材２ａを切断し取り除く糸口となる切断糸口端部１７を頂部横罫線１０、胴部縦罫線４、又は底部横罫線１１の少なくともいずれかに隣接して形成する。【選択図】図１
2009202876.tif 000002
【特許請求の範囲】
【請求項１】
板紙を基材とする包材によって角筒状の胴部とその上下を閉塞する底部及び頂部とが形成され、そのいずれかの部分の前記板紙基材に予定窓の輪郭線が切り込みにより形成され、前記包材の裏面には前記予定窓を塞ぐフィルムが前記輪郭線の外側に接着又は融着して設けられ、前記包材を前記板紙基材に形成された輪郭線に沿って切断して前記輪郭線で囲まれた部分を取り除くことにより、前記フィルムにより塞がれた窓が形成される構造になっている窓付き紙容器であって、
前記輪郭線で囲まれた部分の前記包材を切断し取り除く糸口となる前記輪郭線又はその延長部分によって形成される切断糸口端部は、前記胴部と前記頂部との境界の頂部横罫線、角筒状の前記胴部の胴部縦罫線、又は前記胴部と前記底部との境界の底部横罫線の少なくともいずれかに隣接して形成され、前記切断糸口端部が存在している前記胴部、前記頂部又は前記底部のいずれかの面には、前記切断糸口端部の左右又はその近傍からそれぞれ延びて、隣接している前記罫線のそれぞれ対応する両端又はその近傍に繋がる２本の補助折線が設けられていることを特徴とする窓付き紙容器。
【請求項２】
板紙を基材とする包材によって角筒状の胴部とその上下を閉塞する底部及び頂部とが形成され、そのいずれかの部分の前記板紙基材に予定窓の輪郭線が切り込みにより形成され、前記包材の裏面には前記予定窓を塞ぐフィルムが前記輪郭線の外側に接着又は融着して設けられ、前記包材を前記板紙基材に形成された輪郭線に沿って切断して前記輪郭線で囲まれた部分を取り除くことにより、前記フィルムにより塞がれた窓が形成される構造になっている窓付き紙容器であって、
前記輪郭線で囲まれた部分の前記包材を切断し取り除く糸口となる前記輪郭線又はその延長部分によって形成される切断糸口端部は、前記胴部と前記頂部との境界の頂部横罫線、角筒状の前記胴部の胴部縦罫線、又は前記胴部と前記底部との境界の底部横罫線の少なくともいずれかに隣接して形成され、前記切断糸口端部が存在している前記胴部、前記頂部又は前記底部のいずれかの面には、前記切断糸口端部を横切り或いは前記切断糸口端部の先端と一致し且つ隣接する前記頂部横罫線、前記胴部縦罫線、前記底部横罫線のいずれかの罫線の両端又はその近傍に繋がる補助折線が設けられていることを特徴とする窓付き紙容器。
【請求項３】
前記予定窓は透明又は半透明のフィルムで塞がれ、前記包材を前記板紙基材に形成された輪郭線に沿って切断して前記輪郭線で囲まれた部分を取り除くことにより、前記透明又は半透明のフィルムを通して内部を目視可能な窓が形成されることを特徴とする請求項１又は２に記載の窓付き紙容器。
【請求項４】
前記包材は、前記板紙基材の表裏面に熱可塑性樹脂層が積層され、また、前記包材の裏面に設けられた前記予定窓を塞ぐフィルムは、前記輪郭線の外側で液密に接着又は融着されていることを特徴とする請求項１，２又は３に記載の窓付き紙容器。
【請求項５】
前記予定窓の前記輪郭線は、ミシン目で形成されていることを特徴とする請求項１，２，３又は４に記載の窓付き紙容器。
【請求項６】
前記予定窓の前記輪郭線は、前記包材の裏面から前記板紙基材に達し、且つ該板紙基材を貫通しないように形成された第１ハーフカットと、該第１ハーフカットを囲んで、前記包材の表面から前記板紙基材に達し、且つ該板紙基材を貫通しないように形成された第２ハーフカットとで形成され、前記輪郭線又はその延長部分によって形成されている切断糸口端部は前記第２ハーフカットで形成されていることを特徴とする請求項１，２，３又は４に記載の窓付き紙容器。
【発明の詳細な説明】
【技術分野】
【０００１】
本発明は、板紙を基材とする包材によって形成された紙容器において、フィルムで塞がれた窓を設けた窓付き紙容器に関するものである。
【背景技術】
【０００２】
従来、フィルムで塞がれた窓を設けた窓付き紙容器として、板紙を基材とする包材によって角筒状の胴部とその上下を閉塞する底部及び頂部とが形成され、胴部、頂部のいずれかの部分の板紙基材に予定窓の輪郭線がミシン目によって形成され、包材の裏面には予定窓を塞ぐ透明又は半透明のフィルムが輪郭線の外側に接着又は融着して設けられ、包材を板紙基材に形成された輪郭線に沿って切断して輪郭線で囲まれた部分を取り除くことにより、透明又は半透明のフィルムを通して内部を目視可能な窓が形成される構造のものが知られている（例えば、特許文献１参照。）。
【０００３】
このような窓付き紙容器は、包材を切断し取り除く糸口となる輪郭線によって形成される切断糸口端部を包材の表面から立ち上げ、切断糸口端部を摘んで引っ張って包材を輪郭線に沿って切断し輪郭線で囲まれた部分を取り除くことにより、透明又は半透明のフィルムを通して内部の収容物を目視する窓を形成することができる。
【特許文献１】特開平７−３１５３６７号公報
【発明の開示】
【発明が解決しようとする課題】
【０００４】
しかしながら、従来の構造の窓付き紙容器では、包材を切断し取り除く糸口となる輪郭線によって形成される切断糸口端部を包材の表面から立ち上げる際、輪郭線における切断糸口端部に爪が掛かり難く、切断糸口端部を立ち上げるのに苦労するといった問題があった。この問題を解決するものとして、予定窓の輪郭線を形成するミシン目の未切断部分を少なくし、切断糸口端部を立ち上り易くすることが考えられるが、このようにすると、輸送時に他の容器と衝突する等して衝撃を受けたとき、ミシン目が切断して輪郭線で囲まれた部分の包材が捲れてしまうおそれがある。
【０００５】
本発明の目的は、予定窓を開ける輪郭線で囲まれた部分の包材が容易に捲れず、且つ包材を予定窓の輪郭線に沿って切断して輪郭線で囲まれた部分を取り除き予定窓を開ける際に、輪郭線によって形成される切断糸口端部を包材の表面から容易に立ち上げられるようにした窓付き紙容器を提供することにある。
【課題を解決するための手段】
【０００６】
上記の目的を達成するために請求項１に記載の発明は、板紙を基材とする包材によって角筒状の胴部とその上下を閉塞する底部及び頂部とが形成され、そのいずれかの部分の前記板紙基材に予定窓の輪郭線が切り込みにより形成され、前記包材の裏面には前記予定窓を塞ぐフィルムが前記輪郭線の外側に接着又は融着して設けられ、前記包材を前記板紙基材に形成された輪郭線に沿って切断して前記輪郭線で囲まれた部分を取り除くことにより、前記フィルムにより塞がれた窓が形成される構造になっている窓付き紙容器であって、前記輪郭線で囲まれた部分の前記包材を切断し取り除く糸口となる前記輪郭線又はその延長部分によって形成される切断糸口端部は、前記胴部と前記頂部との境界の頂部横罫線、角筒状の前記胴部の胴部縦罫線、又は前記胴部と前記底部との境界の底部横罫線の少なくともいずれかに隣接して形成され、前記切断糸口端部が存在している前記胴部、前記頂部又は前記底部のいずれかの面には、前記切断糸口端部の左右又はその近傍からそれぞれ延びて、隣接している前記罫線のそれぞれ対応する両端又はその近傍に繋がる２本の補助折線が設けられていることを特徴とする。
【０００７】
請求項２に記載の発明は、板紙を基材とする包材によって角筒状の胴部とその上下を閉塞する底部及び頂部とが形成され、そのいずれかの部分の前記板紙基材に予定窓の輪郭線が切り込みにより形成され、前記包材の裏面には前記予定窓を塞ぐフィルムが前記輪郭線の外側に接着又は融着して設けられ、前記包材を前記板紙基材に形成された輪郭線に沿って切断して前記輪郭線で囲まれた部分を取り除くことにより、前記フィルムにより塞がれた窓が形成される構造になっている窓付き紙容器であって、前記輪郭線で囲まれた部分の前記包材を切断し取り除く糸口となる前記輪郭線又はその延長部分によって形成される切断糸口端部は、前記胴部と前記頂部との境界の頂部横罫線、角筒状の前記胴部の胴部縦罫線、又は前記胴部と前記底部との境界の底部横罫線の少なくともいずれかに隣接して形成され、前記切断糸口端部が存在している前記胴部、前記頂部又は前記底部のいずれかの面には、前記切断糸口端部を横切り或いは前記切断糸口端部の先端と一致し且つ隣接する前記頂部横罫線、前記胴部縦罫線、前記底部横罫線のいずれかの罫線の両端又はその近傍に繋がる補助折線が設けられていることを特徴とする。
【０００８】
請求項３に記載の発明は、請求項１又は２に記載の、前記予定窓は透明又は半透明のフィルムで塞がれ、前記包材を前記板紙基材に形成された輪郭線に沿って切断して前記輪郭線で囲まれた部分を取り除くことにより、前記透明又は半透明のフィルムを通して内部を目視可能な窓が形成されることを特徴とする。
【０００９】
請求項４に記載の発明は、請求項１，２又は３に記載の、前記包材は、前記板紙基材の表裏面に熱可塑性樹脂層が積層され、また、前記包材の裏面に設けられた前記予定窓を塞ぐフィルムは、前記輪郭線の外側で液密に接着又は融着されていることを特徴とする。
【００１０】
請求項５に記載の発明は、請求項１，２，３又は４に記載の、前記予定窓の前記輪郭線は、ミシン目で形成されていることを特徴とする。
【００１１】
請求項６に記載の発明は、請求項１，２，３又は４に記載の、前記予定窓の前記輪郭線は、前記包材の裏面から前記板紙基材に達し、且つ該板紙基材を貫通しないように形成された第１ハーフカットと、該第１ハーフカットを囲んで、前記包材の表面から前記板紙基材に達し、且つ該板紙基材を貫通しないように形成された第２ハーフカットとで形成され、前記輪郭線又はその延長部分によって形成されている切断糸口端部は前記第２ハーフカットで形成されていることを特徴とする。
【発明の効果】
【００１２】
請求項１に記載の窓付き紙容器によれば、輪郭線で囲まれた部分の包材を切断し取り除く糸口となる輪郭線又はその延長部分によって形成される切断糸口端部の先端は、胴部と頂部との境界の頂部横罫線、角筒状の胴部の胴部縦罫線、又は胴部と底部との境界の底部横罫線の少なくともいずれかに隣接して形成され、切断糸口端部の先端が存在している胴部、頂部又は底部のいずれかの面には、切断糸口端部の左右又はその近傍からそれぞれ延びて、隣接している罫線のそれぞれに対応する両端又はその近傍に繋がる２本の補助折線が設けられているので、窓の形成に際し、切断糸口端部の先端に隣接し、その両端又は近傍に補助折線が繋がる罫線を押し込むことにより、山折り状態にあった罫線が谷折り状態となって凹み、切断糸口端部が存在する包材の面が補助折線で山折り状態となって突出して切断糸口端部の先端が浮き上がることから、この浮き上がったところを糸口として切断糸口端部を包材の表面から容易に立ち上げることができ、この立ち上げた切断糸口端部を摘み引っ張って包材を板紙基材に形成された輪郭線に沿って切断し輪郭線で囲まれた部分を取り除くことにより、フィルムで塞がれた窓を形成することができる。
【００１３】
また、切断糸口端部の先端に隣接する前記罫線を押し込んで、罫線を凹ませることにより切断糸口端部の先端を浮き上がらせ、この浮き上がったところを糸口として切断糸口端部を包材の表面から容易に立ち上げることができるので、切断糸口端部を包材の表面から立ち上げ易くするものとして、輪郭線を形成する切り込みを切断し易くする必要はなく、しかも、切断糸口端部の先端に隣接する前記罫線を押し込んで凹ませるまでは、切断糸口端部の先端が包材から浮き上がることがないので、輸送時に他の容器と衝突する等して衝撃を受けたとき、切り込みが切断して輪郭線で囲まれた部分の包材が捲れてしまうといったおそれを防ぐこともできる。
【００１４】
請求項２に記載の窓付き紙容器によれば、輪郭線で囲まれた部分の包材を切断し取り除く糸口となる輪郭線又はその延長部分によって形成される切断糸口端部の先端は、胴部と頂部との境界の頂部横罫線、角筒状の胴部の胴部縦罫線、又は胴部と底部との境界の底部横罫線の少なくともいずれかに隣接して形成され、切断糸口端部の先端が存在している胴部、頂部又は底部のいずれかの面には、切断糸口端部の先端を横切り或いは切断糸口端部の先端と一致し且つ隣接する頂部横罫線、胴部縦罫線、底部横罫線のいずれかの罫線の両端又はその近傍に繋がる補助折線が設けられているので、窓の形成に際し、切断糸口端部の先端に隣接し、その両端又は近傍に補助折線が繋がる罫線を押し込むことにより、山折り状態にあった罫線が谷折り状態となって凹み、切断糸口端部が存在する包材の面が補助折線で山折り状態となって突出して切断糸口端部の先端が浮き上がることから、この浮き上がったところを糸口として切断糸口端部を包材の表面から容易に立ち上げることができ、この立ち上げた切断糸口端部を摘み引っ張って包材を板紙基材に形成された輪郭線に沿って切断し輪郭線で囲まれた部分を取り除くことにより、フィルムで塞がれた窓を形成することができる。
【００１５】
また、切断糸口端部の先端に隣接する罫線を押し込んで、前記罫線を凹ませることにより切断糸口端部の先端を浮き上がらせ、この浮き上がったところを糸口として切断糸口端部を包材の表面から容易に立ち上げることができるので、切断糸口端部を包材の表面から立ち上げ易くするものとして、輪郭線を形成する切り込みを切断し易くする必要はなく、しかも、切断糸口端部の先端に隣接する前記罫線を押し込んで凹ませるまでは、切断糸口端部の先端が包材から浮き上がることもないので、輸送時に他の容器と衝突する等して衝撃を受けたとき、切り込みが切断して輪郭線で囲まれた部分の包材が捲れてしまうといったおそれを防ぐこともできる。
【００１６】
請求項３に記載の窓付き紙容器によれば、請求項１又は２に記載の、前記予定窓は透明又は半透明のフィルムで塞がれ、前記包材を前記板紙基材に形成された輪郭線に沿って切断して前記輪郭線で囲まれた部分を取り除くことにより、前記透明又は半透明のフィルムを通して内部を目視可能な窓が形成されるので、紙容器頂部を開けて内部を覗き込んだりせずとも、紙容器に収容された製品の量や状態をこの窓から簡単に確認できる。
【００１７】
請求項４に記載の窓付き紙容器によれば、請求項１，２又は３に記載の、包材は、板紙基材の表裏面に熱可塑性樹脂層が積層され、また、包材の裏面に設けられた前記予定窓を塞ぐフィルムは、輪郭線の外側で液密に接着又は融着されているので、牛乳、ジュース、スープ類、酒等の液体を収容することができる。
【００１８】
請求項５に記載の窓付き紙容器によれば、請求項１，２，３又は４に記載の、予定窓の輪郭線は、ミシン目で形成されているので、窓の形成に際し、立ち上げた切断糸口端部を摘み引っ張ることにより、包材を板紙基材に形成された輪郭線に沿って容易に切断することができ、輪郭線で囲まれた部分の包材を取り除くことができる。
【００１９】
請求項６に記載の窓付き紙容器によれば、請求項１，２，３又は４に記載の、予定窓の輪郭線は、包材の裏面から板紙基材に達し、且つ該板紙基材を貫通しないように形成された第１ハーフカットと、該第１ハーフカットを囲んで、包材の表面から板紙基材に達し、且つ該板紙基材を貫通しないように形成された第２ハーフカットとで形成され、輪郭線又はその延長部分によって形成されている切断糸口端部は第２ハーフカットで形成されているので、窓の形成に際し、切断糸口端部の先端に隣接し、その両端又は近傍に補助折線が繋がる罫線を押し込むことにより、山折り状態にあった罫線が谷折り状態となって凹み、切断糸口端部が存在する包材の面が補助折線で山折り状態となって突出して、切断糸口端部の先端が板紙基材の層間で剥離した状態で、又はこの層間剥離が第１ハーフカットに達して板紙基材が切断された状態で浮き上がることから、この浮き上がったところを糸口として切断糸口端部を包材の表面から容易に立ち上げることができ、立ち上げた切断糸口端部を摘み引っ張ることにより、切断糸口端部の板紙基材が層間剥離の状態で浮き上がっている場合には、板紙基材の層間剥離が更に進んで第１ハーフカットに達したとき板紙基材が切断されて、第１ハーフカットで囲まれた部分の包材を取り除くことができ、また、切断糸口端部の板紙基材が切断状態で浮き上がっている場合には、そのまま板紙基材の切断が進んで第１ハーフカットで囲まれた部分の包材を取り除くことができる。また、予定窓を形成する輪郭線は第１ハーフカットと第２ハーフカットとで形成され、切断糸口端部は第２ハーフカットで形成されているので、輪郭線は板紙基材をその厚み方向に貫通しておらず、予定窓を塞ぐフィルムとして透明又は半透明のものを用いた場合でも、輪郭線を通して外部の光が紙容器内部に差し込むことを防止でき、紙容器が光により劣化する性質の製品を収容するものである場合、劣化の防止を図ることができる。
【発明を実施するための最良の形態】
【００２０】
以下、本発明に係る窓付き紙容器を実施するための最良の形態を、図面に示す実施例にて詳細に説明する。
【００２１】
図１乃至図６は本発明に係る窓付き紙容器の第１実施例を示したもので、図１は本実施例の窓付き紙容器を示す斜視図、図２は図１に示す切断糸口端部の箇所の拡大図、図３は図１に示す予定窓の箇所の縦断拡大図、図４は本実施例の頂部横罫線を押し下げて凹ませた状態を示す縦断拡大図、図５は本実施例の窓付き紙容器に窓を形成する状態を示す斜視図、図６は本実施例の窓付き紙容器に形成した窓を示す縦断拡大図である。なお、図３、図４及び図６においては、板紙基材の表裏面に積層された熱可塑性樹脂の層は省略して示した。
【００２２】
図１に示すように本例は、本発明をゲーブルトップ型の窓付き紙容器１Ａに実施した実施例であり、本例では、板紙基材の表裏面に熱可塑性樹脂層を積層した包材２によって形成されたものであって、４つの平面部３がそれぞれ胴部縦罫線４で直角に繋がった構造の四角筒状の胴部５と、その上下を閉塞する底部６及び頂部７とで形成されている。底部６は平に形成され、頂部７は切妻屋根型に形成されている。切妻屋根型の頂部７は、切妻屋根面８とその両端の妻壁９とによって形成されている。胴部５と頂部７との境界には頂部横罫線１０が設けられ、胴部５と底部６との境界には底部横罫線１１が設けられている。
【００２３】
本例では、図１及び図２に示すように、胴部５を構成する１つの平面部３ａには、板紙基材及びこの板紙基材の表裏面に積層した熱可塑性樹脂層に、予定窓１２の輪郭線１３が切り込み１４により形成されている。本例では、予定窓１２は縦長となっており、予定窓１２の輪郭線１３はミシン目１５により形成されている。また、平面部３ａの裏面には予定窓１２を塞ぐ透明又は半透明のフィルム１６が輪郭線１３の外側で液密に接着又は融着して設けられている。本例では、フィルム１６は透明ポリエチレンフィルムが用いられている。
【００２４】
平面部３ａには、輪郭線１３で囲まれた部分の包材２ａを切断し取り除く糸口となる切断糸口端部１７が、輪郭線１３によって形成されている。この切断糸口端部１７は、胴部５を構成する１つの平面部３ａと頂部７との境界の頂部横罫線１０に隣接して形成されており、そして、切断糸口端部１７が存在している平面部３ａには、切断糸口端部１７の左右又はその近傍からそれぞれ延びて頂部横罫線１０のそれぞれ対応する両端又はその近傍に繋がる補助折線１８ａ，１８ｂが設けられている。切断糸口端部１７の先端１７ａが補助折線１８ａ，１８ｂを繋ぐ仮想線を越える長さＬは、０ｍｍ〜２０ｍｍが好ましい（図２）。
【００２５】
このような構造の窓付き紙容器１Ａによれば、切断糸口端部１７が存在している胴部５を構成する１つの平面部３ａに、切断糸口端部１７の左右又はその近傍からそれぞれ延びて頂部横罫線１０のそれぞれ対応する両端又はその近傍に繋がる補助折線１８ａ，１８ｂが設けられているので、窓１９の形成に際し、頂部横罫線１０を押し込むことにより、山折り状態にあった頂部横罫線１０が谷折り状態となって凹み、切断糸口端部１７が存在する胴部５を構成する１つの平面部３ａが補助折線１８ａ，１８ｂで山折り状態となって突出して切断糸口端部１７の先端１７ａが平面部３ａから浮き上がることから（図４）、この浮き上がったところを糸口として切断糸口端部１７を平面部３ａから容易に立ち上げることができる。
【００２６】
そして、この立ち上げた切断糸口端部１７を摘み引っ張って平面部３ａを輪郭線１３に沿って切断し輪郭線１３で囲まれた部分の包材２ａを取り除くことにより、フィルム１６を通して内部の収容物を目視する窓１９を形成することができる（図５、図６）。
【００２７】
図７、図８は本発明に係る窓付き紙容器の第２実施例を示したもので、図７は本実施例の窓付き紙容器を示す斜視図、図８は図７に示す切断糸口端部の箇所の拡大図である。なお、前述した第１実施例と対応する部分には、同一符号を付けて示している。
【００２８】
本例のゲーブルトップ型の窓付き紙容器１Ａでは、切断糸口端部１７が存在している平面部３ａに、切断糸口端部１７を横切り或いは切断糸口端部１７の先端１７ａと一致し且つ頂部横罫線１０の両端又はその近傍に繋がる補助折線１８が設けられている。切断糸口端部１７の先端１７ａが補助折線１８を越える長さＬは、０ｍｍ〜２０ｍｍが好ましい（図８）。また、補助折線１８にあっては、本例では円弧状となっている。
【００２９】
その他の構成は第１実施例と同様であるので、第１実施例の説明を援用する。
【００３０】
このように構成された第２実施例からも第１実施例と同様の効果を得ることができる。
【００３１】
図９は本発明に係る窓付き紙容器の第３実施例を示した斜視図である。なお、前述した第１実施例と対応する部分には、同一符号を付けて示している。
【００３２】
本例のゲーブルトップ型の窓付き紙容器１Ａでは、胴部５を構成する１つの平面部３ａに、２個の縦長の予定窓１２ａ，１２ｂが上下方向に間隔をあけて２個設けられており、各予定窓１２ａ，１２ｂの輪郭線１３ａ，１３ｂは第１実施例と同様にミシン目１５により形成されている。また、平面部３ａの裏面には予定窓１２ａ，１２ｂを塞ぐ透明又は半透明のフィルム１６が輪郭線１３ａ，１３ｂの外側で液密に接着又は融着して設けられている。
【００３３】
２個の縦長の予定窓１２ａ，１２ｂのうち、上側にある予定窓１２ａの輪郭線１３ａで囲まれた部分の包材２ａを切断し取り除く糸口となる切断糸口端部１７は輪郭線１３ａによって形成されている。この切断糸口端部１７は、胴部５を構成する１つの平面部３ａと頂部７との境界の頂部横罫線１０に隣接して形成されており、そして、切断糸口端部１７が存在している平面部３ａには、切断糸口端部１７の左右又はその近傍からそれぞれ延びて頂部横罫線１０のそれぞれ対応する両端又はその近傍に繋がる補助折線１８ａ，１８ｂが設けられている。
【００３４】
また、下側にある予定窓１２ｂの輪郭線１３ｂで囲まれた部分の包材２ａを切断し取り除く糸口となる切断糸口端部１７は輪郭線１３ｂによって形成されている。この切断糸口端部１７は、胴部５を構成する１つの平面部３ａと底部６との境界の底部横罫線１１に隣接して形成されており、そして、切断糸口端部１７が存在している平面部３ａには、切断糸口端部１７の左右又はその近傍からそれぞれ延びて底部横罫線１１のそれぞれ対応する両端又はその近傍に繋がる補助折線１８ｃ，１８ｄが設けられている。その他の構成は第１実施例と同様であるので、第１実施例の説明を援用する。
【００３５】
このような構造の窓付き紙容器１Ａによれば、上側の予定窓１２ａを開けて窓１９ａを形成する際に、第１実施例と同様に、頂部横罫線１０を押し込むことにより、山折り状態にあった頂部横罫線１０が谷折り状態となって凹み、切断糸口端部１７が存在する胴部５を構成する１つの平面部３ａが補助折線１８ａ，１８ｂで山折り状態となって突出し、切断糸口端部１７の先端１７ａが平面部３ａから浮き上がることから、この浮き上がったところを糸口として切断糸口端部１７を平面部３ａから容易に立ち上げることができる。そして、この立ち上げた切断糸口端部１７を摘み引っ張って平面部３ａを輪郭線１３ａに沿って切断し輪郭線１３ａで囲まれた部分の包材２ａを取り除くことにより、フィルム１６を通して内部の収容物を目視する窓１９ａを形成することができる。
【００３６】
また、下側の予定窓１２ｂを開けて窓１９ｂを形成する際は、底部横罫線１１を押し込むことにより、山折り状態にあった底部横罫線１１が谷折り状態となって凹み、切断糸口端部１７が存在する胴部５を構成する１つの平面部３ａが補助折線１８ｃ，１８ｄで山折り状態となって突出し、切断糸口端部１７の先端１７ａが平面部３ａから浮き上がることから、この浮き上がったところを糸口として切断糸口端部１７を平面部３ａから容易に立ち上げることができる。そして、この立ち上げた切断糸口端部１７を摘み引っ張って平面部３ａを輪郭線１３ｂに沿って切断し輪郭線１３ｂで囲まれた部分の包材２ｂを取り除くことにより、フィルム１６を通して内部の収容物を目視する窓１９ｂを形成することができる。
【００３７】
図１０は本発明に係る窓付き紙容器の第４実施例を示した斜視図である。なお、前述した第１実施例と対応する部分には、同一符号を付けて示している。
【００３８】
本例のゲーブルトップ型の窓付き紙容器１Ａでは、頂部７を構成する切妻屋根面８となる包材２（以下、切妻屋根面８という。）に、予定窓１２の輪郭線１３がミシン目１５により形成されている。また、切妻屋根面８の裏面には予定窓１２を塞ぐ透明又は半透明のフィルム１６が輪郭線１３の外側に液密に接着又は融着して設けられている。
【００３９】
切妻屋根面８には、輪郭線１３で囲まれた部分の包材２ａを切断し取り除く糸口となる切断糸口端部１７が、輪郭線１３の延長部分１３’によって形成されている。この切断糸口端部１７は、胴部５と頂部７との境界の頂部横罫線１０に隣接して形成されており、そして、切断糸口端部１７が存在している切妻屋根面８には、切断糸口端部１７の左右又はその近傍からそれぞれ延びて頂部横罫線１０のそれぞれ対応する両端又はその近傍に繋がる補助折線１８ａ，１８ｂが設けられている。その他の構成は第１実施例と同様であるので、第１実施例の説明を援用する。
【００４０】
このような構造の窓付き紙容器１Ａによれば、窓１９を形成する際に、第１実施例と同様に、頂部横罫線１０を押し込むことにより、山折り状態にあった頂部横罫線１０が谷折り状態となって凹み、切断糸口端部１７が存在する切妻屋根面８が補助折線１８ａ，１８ｂで山折り状態となって突出し、切断糸口端部１７の先端１７ａが切妻屋根面８から浮き上がることから、この浮き上がったところを糸口として切断糸口端部１７を切妻屋根面８から容易に立ち上げることができる。そして、この立ち上げた切断糸口端部１７を摘み引っ張って切妻屋根面８を輪郭線１３に沿って切断し輪郭線１３で囲まれた部分の包材２ａを取り除くことにより、フィルム１６を通して内部の収容物を目視する窓１９を形成することができる。
【００４１】
図１１は本発明に係る窓付き紙容器の第５実施例を示した斜視図である。なお、前述した第１実施例と対応する部分には、同一符号を付けて示している。
【００４２】
本例のゲーブルトップ型の窓付き紙容器１Ａでは、胴部５を構成する１つの平面部３ａに予定窓１２の輪郭線１３がミシン目１５により形成されている。この輪郭線１３の一部が胴部縦罫線４を横切って隣の平面部３ｂまで延長し、この延長部分１３’によって切断糸口端部１７が形成されている。平面部３ｂまで延長した切断糸口端部１７は、その先端１７ａが胴部縦罫線４の近接位置にある。即ち、この切断糸口端部１７は平面部３ｂに、平面部３ａと平面部３ｂとの境界の胴部縦罫線４に隣接して形成されている。
【００４３】
そして、切断糸口端部１７が存在している平面部３ｂには、切断糸口端部１７の左右又はその近傍からそれぞれ延びて頂部横罫線１０のそれぞれ対応する両端又はその近傍に繋がる補助折線１８ａ，１８ｂが設けられている。また、平面部３ａ、平面部３ｂの裏面には予定窓１２を塞ぐ透明又は半透明のフィルム１６が輪郭線１３の外側で液密に接着又は融着して設けられている。その他の構成は第１実施例と同様であるので、第１実施例の説明を援用する。
【００４４】
このような構造の窓付き紙容器１Ａによれば、窓１９を形成する際に、胴部縦罫線４を押し込むことにより、山折り状態にあった胴部縦罫線４が谷折り状態となって凹み、切断糸口端部１７が存在する平面部３ｂが補助折線１８ａ，１８ｂで山折り状態となって突出し、切断糸口端部１７の先端１７ａが平面部３ｂから浮き上がることから、この浮き上がったところを糸口として切断糸口端部１７を平面部３ｂから容易に立ち上げることができる。そして、この立ち上げた切断糸口端部１７を摘み引っ張って平面部３ｂ、平面部３ａを輪郭線１３に沿って切断し輪郭線１３で囲まれた部分の包材２ａを取り除くことにより、フィルム１６を通して内部の収容物を目視する窓１９を形成することができる。
【００４５】
図１２は本発明に係る窓付き紙容器の第６実施例を示した斜視図である。なお、前述した第１実施例と対応する部分には、同一符号を付けて示している。
【００４６】
本例は、本発明を平らな屋根をもつフラットトップ型の窓付き紙容器１Ｂに実施した実施例であり、図示のように、板紙基材の表裏面に熱可塑性樹脂層を積層した包材２によって形成されたものであって、４つの平面部３がそれぞれ胴部縦罫線４で直角に繋がっている構造の四角筒状の胴部５と、その上下を閉塞する底部６及び頂部７とで形成されている。底部６は平に形成され、頂部７もまた平らに形成されている。胴部５と頂部７との境界には頂部横罫線１０が設けられ、胴部５と底部６との境界には底部横罫線１１が設けられている。
【００４７】
本例では、胴部５を構成する１つの平面部３ａに、予定窓１２の輪郭線１３がミシン目１５により形成されている。また、平面部３ａの裏面には予定窓１２を塞ぐ透明又は半透明のフィルム１６が輪郭線１３の外側で液密に接着又は融着して設けられている。
【００４８】
平面部３ａには、輪郭線１３で囲まれた部分の包材２ａを切断し取り除く糸口となる切断糸口端部１７が、輪郭線１３によって形成されている。この切断糸口端部１７は、胴部５を構成する１つの平面部３ａと頂部７との境界の頂部横罫線１０に隣接して形成されており、そして、切断糸口端部１７が存在している平面部３ａには、切断糸口端部１７の左右又はその近傍からそれぞれ延びて頂部横罫線１０のそれぞれ対応する両端又はその近傍に繋がる補助折線１８ａ，１８ｂが設けられている。その他の構成は第１実施例と同様であるので、第１実施例の説明を援用する。
【００４９】
このような構造の窓付き紙容器１Ｂによれば、窓１９を形成する際に、頂部横罫線１０を押し込むことにより、山折り状態にあった頂部横罫線１０が谷折り状態となって凹み、切断糸口端部１７が存在する平面部３ａが補助折線１８ａ，１８ｂで山折り状態となって突出し、切断糸口端部１７の先端１７ａが平面部３ａから浮き上がることから、この浮き上がったところを糸口として切断糸口端部１７を平面部３ａから容易に立ち上げることができる。そして、この立ち上げた切断糸口端部１７を摘み引っ張って平面部３ａを輪郭線１３に沿って切断し輪郭線１３で囲まれた部分の包材２ａを取り除くことにより、フィルム１６を通して内部の収容物を目視する窓１９を形成することができる。
【００５０】
図１３乃至図１６は本発明に係る窓付き紙容器の第７実施例を示したもので、図１３は本実施例の窓付き紙容器を示す斜視図、図１４は図１３に示す予定窓の箇所の縦断拡大図、図１５は本実施例の頂部横罫線を押し下げて凹ませた状態を示す縦断拡大図、図１６は本実施例の窓付き紙容器に形成した窓を示す縦断拡大図である。なお、図１４、図１５及び図１６においては、板紙基材の表裏面に積層された熱可塑性樹脂の層は省略して示した。
【００５１】
図１３に示すように本例は、前述した第１実施例と同様に、本発明をゲーブルトップ型の窓付き紙容器１Ａに実施した実施例であり、第１実施例と対応する部分には、同一符号を付けて示している。
【００５２】
本例のゲーブルトップ型の窓付き紙容器１Ａでは、予定窓１２は第１実施例と同様に縦長となっており、その予定窓１２の輪郭線１３は、胴部５を構成する一つの平面部３ａの裏面から板紙基材に達し、且つ板紙基材を貫通しないように形成された第１ハーフカット２０と、第１ハーフカット２０を囲んで、平面部３ａの表面から板紙基材に達し、且つ板紙基材を貫通しないように形成された第２ハーフカット２１とで形成されている。また、平面部３ａの裏面には予定窓１２を塞ぐ透明又は半透明のフィルム１６が輪郭線１３の外側で液密に接着又は融着して設けられている。
【００５３】
また、第１ハーフカット２０と第２ハーフカット２１とで形成される輪郭線１３で囲まれた部分の包材２ａを切断し取り除く糸口となる切断糸口端部１７は、本例では第２ハーフカット２１で形成されている。この切断糸口端部１７は第１実施例と同様に、頂部横罫線１０に隣接して形成されており、そして、切断糸口端部１７が存在している平面部３ａには、切断糸口端部１７の左右又はその近傍からそれぞれ延びて頂部横罫線１０のそれぞれ対応する両端又はその近傍に繋がる補助折線１８ａ，１８ｂが設けられている。その他の構成は第１実施例と同様であるので、第１実施例の説明を援用する。
【００５４】
このような構造の窓付き紙容器１Ａによれば、切断糸口端部１７が存在している胴部５を構成する１つの平面部３ａに、切断糸口端部１７の左右又はその近傍からそれぞれ延びて頂部横罫線１０のそれぞれ対応する両端又はその近傍に繋がる補助折線１８ａ，１８ｂが設けられているので、窓１９の形成に際し、頂部横罫線１０を押し込むことにより、山折り状態にあった頂部横罫線１０が谷折り状態となって凹み、切断糸口端部１７が存在する胴部５を構成する１つの平面部３ａが補助折線１８ａ，１８ｂで山折り状態となって突出して第２ハーフカット２１で形成されている切断糸口端部１７の先端１７ａが板紙基材の層間で剥離し、次いでこの層間剥離が第１ハーフカット２０に達して包材２が切断されて平面部３ａから浮き上がることから（図１５）、この浮き上がったところを糸口として切断糸口端部１７を平面部３ａから容易に立ち上げることができる。
【００５５】
そして、この立ち上げた切断糸口端部１７を摘み引っ張ると、そのまま包材２の切断が進んで第１ハーフカット２０で囲まれた部分の包材２ａが取り除かれ、フィルム１６を通して内部の収容物を目視する窓１９が形成される（図１６）。
【００５６】
また、本例の窓付き紙容器１Ａによれば、予定窓１２を形成する輪郭線１３は第１ハーフカット２０と第２ハーフカット２１とで形成され、切断糸口端部１７は第２ハーフカット２１で形成されているので、輪郭線１３は板紙基材２をその厚み方向に貫通しておらず、輪郭線１３を通して外部の光が紙容器１Ａの内部に差し込むことを防止でき、紙容器１Ａが光により劣化する性質の製品を収容するものである場合、劣化の防止を図ることができる。
【００５７】
図１７は本発明に係る窓付き紙容器の第８実施例を示した斜視図である。なお、前述した第７実施例と対応する部分には、同一符号を付けて示している。
【００５８】
本例のゲーブルトップ型の窓付き紙容器１Ａでは、胴部５を構成する１つの平面部３ａに、２個の縦長の予定窓１２ａ，１２ｂが上下方向に間隔をあけて２個設けられており、予定窓１２ａ，１２ｂの輪郭線１３は第７実施例と同様に、胴部５を構成する一つの平面部３ａの裏面から板紙基材に達し、且つ板紙基材を貫通しないように形成された第１ハーフカット２０ａ，２ｂと、第１ハーフカット２０ａ，２０ｂの両方を囲んで、平面部３ａの表面から板紙基材に達し、且つ板紙基材を貫通しないように形成された第２ハーフカット２１とで形成されている。また、平面部３ａの裏面には予定窓１２ａ，１２ｂを塞ぐ透明又は半透明のフィルム１６が輪郭線１３の外側で液密に接着又は融着して設けられている。
【００５９】
２個の縦長の予定窓１２ａ，１２ｂの輪郭線１３で囲まれた部分の包材２ａを切断し取り除く糸口となる切断糸口端部１７は第２ハーフカット２１によって形成されている。この切断糸口端部１７は、胴部５を構成する１つの平面部３ａと頂部７との境界の頂部横罫線１０に隣接して形成されており、そして、切断糸口端部１７が存在している平面部３ａには、切断糸口端部１７の左右又はその近傍からそれぞれ延びて頂部横罫線１０のそれぞれ対応する両端又はその近傍に繋がる補助折線１８ａ，１８ｂが設けられている。その他の構成は第７実施例と同様であるので、第７実施例の説明を援用する。
【００６０】
このような構造の窓付き紙容器１Ａによれば、予定窓１２ａ，１２ｂを開けて窓１９ａ，１９ｂを形成する際に、第７実施例と同様に、頂部横罫線１０を押し込むことにより、山折り状態にあった頂部横罫線１０が谷折り状態となって凹み、切断糸口端部１７が存在する胴部５を構成する１つの平面部３ａが補助折線１８ａ，１８ｂで山折り状態となって突出して第２ハーフカット２１で形成されている切断糸口端部１７の先端１７ａが板紙基材の層間で剥離し、次いでこの層間剥離が第１ハーフカット２０ａに達して包材２が切断されて平面部３ａから浮き上がることから、この浮き上がったところを糸口として切断糸口端部１７を平面部３ａから容易に立ち上げることができる。
【００６１】
そして、この立ち上げた切断糸口端部１７を摘み引っ張ると、そのまま包材２の切断が進んで第１ハーフカット２０ａで囲まれた部分の包材２ａが取り除かれ、その後、第１ハーフカット２０ａの下端部から第１ハーフカット２０ｂの上端部に達するまでの間は板紙基材の層間剥離が、この層間剥離が第１ハーフカット２０ｂの上端部に達してからは包材２の切断が進み、第１ハーフカット２０ｂで囲まれた部分の包材２ｂが取り除かれる。こうして、フィルム１６を通して内部の収容物を目視する二つの窓１９ａ，１９ｂが、１回の操作で形成される。
【００６２】
図１８は本発明に係る窓付き紙容器の第９実施例を示した斜視図である。なお、前述した第７実施例と対応する部分には、同一符号を付けて示している。
【００６３】
本例のゲーブルトップ型の窓付き紙容器１Ａでは、頂部７を構成する切妻屋根面８に、予定窓１２の輪郭線１３が切妻屋根面８の裏面から板紙基材に達し、且つ板紙基材を貫通しないように形成された第１ハーフカット２０と、第１ハーフカット２０を囲んで、切妻屋根面８の表面から板紙基材に達し、且つ板紙基材を貫通しないように形成された第２ハーフカット２１とで形成されている。また、切妻屋根面８の裏面には予定窓１２を塞ぐ透明又は半透明のフィルム１６が輪郭線１３の外側で液密に接着又は融着して設けられている。
【００６４】
切妻屋根面８には、輪郭線１３で囲まれた部分の包材２ａを切断し取り除く糸口となる切断糸口端部１７が、第２ハーフカット２１の延長部分２１’によって形成されている。この切断糸口端部１７は、胴部５と頂部７との境界の頂部横罫線１０に隣接して形成されており、そして、切断糸口端部１７が存在している切妻屋根面８には、切断糸口端部１７の左右又はその近傍からそれぞれ延びて頂部横罫線１０のそれぞれ対応する両端又はその近傍に繋がる補助折線１８ａ，１８ｂが設けられている。その他の構成は第７実施例と同様であるので、第７実施例の説明を援用する。
【００６５】
このような構造の窓付き紙容器１Ａによれば、窓１９を形成する際に、第７実施例と同様に、頂部横罫線１０を押し込むことにより、山折り状態にあった頂部横罫線１０が谷折り状態となって凹み、切断糸口端部１７が存在する切妻屋根面８が補助折線１８ａ，１８ｂで山折り状態となって突出して第２ハーフカット２１で形成されている切断糸口端部１７の先端１７ａが板紙基材の層間で剥離して切妻屋根面８から浮き上がることから、この浮き上がったところを糸口として切断糸口端部１７を切妻屋根面８から容易に立ち上げることができる。
【００６６】
そして、この立ち上げた切断糸口端部１７を摘み引っ張ると、切妻屋根面８において第２ハーフカット２１内側の板紙基材の層間剥離が進み、この層間剥離が第１ハーフカット２０に達したとき包材２が切断されて、第１ハーフカット２０で囲まれた部分の包材２ａが取り除かれ、フィルム１６を通して内部の収容物を目視する窓１９が形成される。
【００６７】
図１９は本発明に係る窓付き紙容器の第１０実施例を示した斜視図である。なお、前述した第７実施例と対応する部分には、同一符号を付けて示している。
【００６８】
本例のゲーブルトップ型の窓付き紙容器１Ａでは、予定窓１２の輪郭線１３が胴部５を構成する一つの平面部３ａの裏面から板紙基材に達し、且つ板紙基材を貫通しないように形成された第１ハーフカット２０と、第１ハーフカット２０を囲んで、平面部３ａの表面から板紙基材に達し、且つ板紙基材を貫通しないように形成された第２ハーフカット２１とで形成されており、この第２ハーフカット２１の一部が胴部縦罫線４を横切って隣の平面部３ｂまで延長して形成されている。そして、この延長部分２１’によって切断糸口端部１７が形成されている。平面部３ｂまで延長した切断糸口端部１７は、その先端１７ａが胴部縦罫線４の近接位置にある。即ち、この切断糸口端部１７は平面部３ｂに、平面部３ａと平面部３ｂとの境界の胴部縦罫線４に隣接して形成されている。
【００６９】
そして、切断糸口端部１７が存在している平面部３ｂには、切断糸口端部１７の左右又はその近傍からそれぞれ延びて頂部横罫線１０のそれぞれ対応する両端又はその近傍に繋がる補助折線１８ａ，１８ｂが設けられている。また、平面部３ａ、平面部３ｂの裏面には予定窓１２を塞ぐ透明又は半透明のフィルム１６が輪郭線１３の外側で液密に接着又は融着して設けられている。その他の構成は第７実施例と同様であるので、第７実施例の説明を援用する。
【００７０】
このような構造の窓付き紙容器１Ａによれば、窓１９を形成する際に、胴部縦罫線４を押し込むことにより、山折り状態にあった胴部縦罫線４が谷折り状態となって凹み、切断糸口端部１７が存在する平面部３ｂが補助折線１８ａ，１８ｂで山折り状態となって突出して第２ハーフカット２１で形成されている切断糸口端部１７の先端１７ａが板紙基材の層間で剥離して平面部３ｂから浮き上がることから、この浮き上がったところを糸口として切断糸口端部１７を平面部３ｂから容易に立ち上げることができる。
【００７１】
そして、この立ち上げた切断糸口端部１７を摘み引っ張ると、平面部３ｂ、次いで平面部３ａにおいて第２ハーフカット２１内側の板紙基材の層間剥離が進み、この層間剥離が第１ハーフカット２０に達したとき包材２が切断されて、第１ハーフカット２０で囲まれた部分の包材２ａが取り除かれ、フィルム１６を通して内部の収容物を目視する窓１９が形成される。
【００７２】
図２０は本発明に係る窓付き紙容器の第１１実施例を示した斜視図である。図２０に示すように本例は、前述した第６実施例と同様に、本発明を平らな屋根をもつフラットトップ型の窓付き紙容器１Ｂに実施した実施例であり、第６実施例と対応する部分には、同一符号を付けて示している。
【００７３】
本例のフラットトップ型の窓付き紙容器１Ｂでは、予定窓１２は第７実施例と同様に縦長となっており、その予定窓１２の輪郭線１３は、胴部５を構成する一つの平面部３ａの裏面から板紙基材に達し、且つ板紙基材を貫通しないように形成された第１ハーフカット２０と、第１ハーフカット２０を囲んで、平面部３ａの表面から板紙基材に達し、且つ板紙基材を貫通しないように形成された第２ハーフカット２１とで形成されている。また、平面部３ａの裏面には予定窓１２を塞ぐ透明又は半透明のフィルム１６が輪郭線１３の外側で液密に接着又は融着して設けられている。
【００７４】
また、第１ハーフカット２０と第２ハーフカット２１とで形成される輪郭線１３で囲まれた部分の包材２ａを切断し取り除く糸口となる切断糸口端部１７は第２ハーフカット２１で形成されている。この切断糸口端部１７は第７実施例と同様に、頂部横罫線１０に隣接して形成されており、そして、切断糸口端部１７が存在している平面部３ａには、切断糸口端部１７の左右又はその近傍からそれぞれ延びて頂部横罫線１０のそれぞれ対応する両端又はその近傍に繋がる補助折線１８ａ，１８ｂが設けられている。その他の構成は第７実施例と同様であるので、第７実施例の説明を援用する。
【００７５】
このような構造の窓付き紙容器１Ｂによれば、切断糸口端部１７が存在している胴部５を構成する１つの平面部３ａに、切断糸口端部１７の左右又はその近傍からそれぞれ延びて頂部横罫線１０のそれぞれ対応する両端又はその近傍に繋がる補助折線１８ａ，１８ｂが設けられているので、窓１９の形成に際し、頂部横罫線１０を押し込むことにより、山折り状態にあった頂部横罫線１０が谷折り状態となって凹み、切断糸口端部１７が存在する胴部５を構成する１つの平面部３ａが補助折線１８ａ，１８ｂで山折り状態となって突出して第２ハーフカット２１で形成されている切断糸口端部１７の先端１７ａが板紙基材の層間で剥離し、次いでこの層間剥離が第１ハーフカット２０に達して包材２が切断されて平面部３ｂから浮き上がることから、この浮き上がったところを糸口として切断糸口端部１７を平面部３ｂから容易に立ち上げることができる。
【００７６】
そして、この立ち上げた切断糸口端部１７を摘み引っ張ると、そのまま包材２の切断が進んで第１ハーフカット２０で囲まれた部分の包材２ａが取り除かれ、フィルム１６を通して内部の収容物を目視する窓１９が形成される。
【００７７】
なお、以上の第１〜１１実施例では、予定窓１２を塞ぐフィルム１６として透明又は半透明のものを用いたが、本発明においてフィルム１６は、予定窓１２の輪郭線１３の外側で包材２の裏面に液密に接着又は融着できるものであれば、不透明のものを用いても構わない。たとえば、フィルム１６としてキャラクターなどの図柄や文字を印刷等によって表したものを用い、輪郭線１３で囲まれた包材２ａを取り除くと、フィルムに表された図柄や文字が表れるようにすることもできる。
【００７８】
また、フィルム１６は、予定窓１２の輪郭線１３の外側で包材２の裏面に液密に接着又は融着されてさえいれば、その積層される範囲は問わない。すなわちフィルム１６は、上記第１〜１１実施例で図示したように、予定窓１２を輪郭線１３の外側の範囲で部分的に被覆するように包材２の裏面に積層するだけではなく、たとえば、包材２の裏面全面に積層することもできる。
【００７９】
さらに、本発明においては、輪郭線１３で囲まれた包材２ａとその裏面を被覆するフィルム１６との間の空間を利用して、たとえば、砂糖、シロップ、ジャム等を入れた小型ピローもしくはポーションパック、又はストロー等の収容部とし、輪郭線１３で囲まれた包材２ａを取り除くと、これらの小型ピローもしくはポーションパック、又はストロー等が取り出せるようにすることもできる。
【図面の簡単な説明】
【００８０】
【図１】本発明に係る窓付き紙容器の第１実施例を示した斜視図である。
【図２】図１に示す切断糸口端部の箇所の拡大図である。
【図３】図１に示す予定窓の箇所の縦断拡大図である。
【図４】第１実施例の頂部横罫線を押し下げて凹ませた状態を示す縦断拡大図である。
【図５】第１実施例の窓付き紙容器に窓を形成する状態を示す斜視図である。
【図６】第１実施例の窓付き紙容器に形成した窓を示す縦断拡大図である。
【図７】本発明に係る窓付き紙容器の第２実施例を示した斜視図である。
【図８】図７に示す切断糸口端部の箇所の拡大図である
【図９】本発明に係る窓付き紙容器の第３実施例を示した斜視図である。
【図１０】本発明に係る窓付き紙容器の第４実施例を示した斜視図である。
【図１１】本発明に係る窓付き紙容器の第５実施例を示した斜視図である。
【図１２】本発明に係る窓付き紙容器の第６実施例を示した斜視図である。
【図１３】本発明に係る窓付き紙容器の第７実施例を示した斜視図である。
【図１４】図１３に示す予定窓の箇所の縦断拡大図である。
【図１５】第７実施例の頂部横罫線を押し下げて凹ませた状態を示す縦断拡大図である。
【図１６】第７実施例の窓付き紙容器に形成した窓を示す縦断拡大図である。
【図１７】本発明に係る窓付き紙容器の第８実施例を示した斜視図である。
【図１８】本発明に係る窓付き紙容器の第９実施例を示した斜視図である。
【図１９】本発明に係る窓付き紙容器の第１０実施例を示した斜視図である。
【図２０】本発明に係る窓付き紙容器の第１１実施例を示した斜視図である。
【符号の説明】
【００８１】
１Ａ、１Ｂ  窓付き紙容器
２  包材
２ａ、２ｂ  輪郭線で囲まれた部分の包材
３、３ａ、３ｂ  平面部
４  胴部縦罫線
５  胴部
６  底部
７  頂部
８  切妻屋根面
９  妻壁
１０  頂部横罫線
１１  底部横罫線
１２、１２ａ，１２ｂ  予定窓
１３、１３ａ、１３ｂ  輪郭線
１３’  輪郭線の延長部分
１４  切り込み
１５  ミシン目
１６  フィルム
１７  切断糸口端部
１７ａ  切断糸口端部の先端
１８、１８ａ、１８ｂ、１８ｃ、１８ｄ  補助折線
１９、１９ａ、１９ｂ  窓
２０、２０ａ、２０ｂ  第１ハーフカット
２１  第２ハーフカット
２１’  第２ハーフカットの延長部分
【図１】
2009202876.tif 000003
【図２】
2009202876.tif 000004
【図３】
2009202876.tif 000005
【図４】
2009202876.tif 000006
【図５】
2009202876.tif 000007
【図６】
2009202876.tif 000008
【図７】
2009202876.tif 000009
【図８】
2009202876.tif 000010
【図９】
2009202876.tif 000011
【図１０】
2009202876.tif 000012
【図１１】
2009202876.tif 000013
【図１２】
2009202876.tif 000014
【図１３】
2009202876.tif 000015
【図１４】
2009202876.tif 000016
【図１５】
2009202876.tif 000017
【図１６】
2009202876.tif 000018
【図１７】
2009202876.tif 000019
【図１８】
2009202876.tif 000020
【図１９】
2009202876.tif 000021
【図２０】
2009202876.tif 000022
【手続補正書】
【提出日】平成21年2月20日(2009.2.20)
【手続補正１】
【補正対象書類名】明細書
【補正対象項目名】００５８
【補正方法】変更
【補正の内容】
【００５８】
本例のゲーブルトップ型の窓付き紙容器１Ａでは、胴部５を構成する１つの平面部３ａに、２個の縦長の予定窓１２ａ，１２ｂが上下方向に間隔をあけて２個設けられており、予定窓１２ａ，１２ｂの輪郭線１３は第７実施例と同様に、胴部５を構成する一つの平面部３ａの裏面から板紙基材に達し、且つ板紙基材を貫通しないように形成された第１ハーフカット２０ａ，２０ｂと、第１ハーフカット２０ａ，２０ｂの両方を囲んで、平面部３ａの表面から板紙基材に達し、且つ板紙基材を貫通しないように形成された第２ハーフカット２１とで形成されている。また、平面部３ａの裏面には予定窓１２ａ，１２ｂを塞ぐ透明又は半透明のフィルム１６が輪郭線１３の外側で液密に接着又は融着して設けられている。
【手続補正２】
【補正対象書類名】明細書
【補正対象項目名】００７５
【補正方法】変更
【補正の内容】
【００７５】
このような構造の窓付き紙容器１Ｂによれば、切断糸口端部１７が存在している胴部５を構成する１つの平面部３ａに、切断糸口端部１７の左右又はその近傍からそれぞれ延びて頂部横罫線１０のそれぞれ対応する両端又はその近傍に繋がる補助折線１８ａ，１８ｂが設けられているので、窓１９の形成に際し、頂部横罫線１０を押し込むことにより、山折り状態にあった頂部横罫線１０が谷折り状態となって凹み、切断糸口端部１７が存在する胴部５を構成する１つの平面部３ａが補助折線１８ａ，１８ｂで山折り状態となって突出して第２ハーフカット２１で形成されている切断糸口端部１７の先端１７ａが板紙基材の層間で剥離し、次いでこの層間剥離が第１ハーフカット２０に達して包材２が切断されて平面部３ａから浮き上がることから、この浮き上がったところを糸口として切断糸口端部１７を平面部３ａから容易に立ち上げることができる。
【手続補正３】
【補正対象書類名】図面
【補正対象項目名】図１
【補正方法】変更
【補正の内容】
【図１】
2009202876.tif 000023
【手続補正４】
【補正対象書類名】図面
【補正対象項目名】図４
【補正方法】変更
【補正の内容】
【図４】
2009202876.tif 000024
【手続補正５】
【補正対象書類名】図面
【補正対象項目名】図８
【補正方法】変更
【補正の内容】
【図８】
2009202876.tif 000025
【手続補正６】
【補正対象書類名】図面
【補正対象項目名】図１７
【補正方法】変更
【補正の内容】
【図１７】
2009202876.tif 000026
【手続補正７】
【補正対象書類名】図面
【補正対象項目名】図１９
【補正方法】変更
【補正の内容】
【図１９】
2009202876.tif 000027